Podtech/llm-jp-corpus-v4-ja_patent huggingface dataset:
(57)【要約】      （修正有）【課題】電磁波を効果的に遮蔽することができ、安価である電磁波シールド塗料を提供する。【解決手段】本発明の電磁波シールド塗料は、従来周知の塗料にリン酸カルシウムの微粉粒物を含有せしめたことを特徴とする。従来周知の塗料は、例えば、鋼板、アルミニウム板、合成樹脂板を素材とする自動車の車体（ボディ）の外装材（ルーフ、ドア、バンパ、ボンネット等）の主に内外表面に塗布する塗料である。上記リン酸カルシウムは、例えば、天然アパタイト（ハイドロキシアパタイトCa5(PO4)3(OH)）、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)である。【選択図】なし【特許請求の範囲】
【請求項１】
従来周知の塗料にリン酸カルシウムの微粉粒物を含有せしめたことを特徴とする電磁波シールド塗料。
【請求項２】
上記従来周知の塗料は、鋼板、アルミニウム板、合成樹脂板を素材とする自動車の車体（ボディ）の外装材（ルーフ、ドア、バンパ、ボンネット等）の主に内外表面に塗布する塗料であることを特徴とする請求項１記載の電磁波シールド塗料。
【請求項３】
上記リン酸カルシウムが、天然アパタイト（ハイドロキシアパタイトCa5(PO4)3(OH)）、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であることを特徴とする請求項１または２記載の電磁波シールド塗料。
【発明の詳細な説明】
【技術分野】
【０００１】
本発明は、電磁波シールド塗料、特に電磁波から人体への被爆を防止することができる電磁波シールド塗料に関するものである。
【背景技術】
【０００２】
人類が活動する地球上には、いろいろな周波数の電磁波が飛び交い、人体への悪影響が懸念されている。近年、電気通信技術の発達に伴って、高電圧かつ高電流の機器が使用されるようになり、しかも、高電圧かつ高電流でなくても身近に置かれたり、身につけたりする場合も多く、その電磁波の被爆による健康障害が心配され、ＷＨＯ（世界保健機構）なども勧告しているほどである。
特に、自動車や鉄道車両等の交通機関は、その移動中に、強力な電磁波の被爆を受ける恐れがあり、しかも鉄道車両内では多くの乗客が被爆する恐れがある。
【０００３】
従来、自動車内の人間を電磁波から遮蔽するために、車両の内外装材に電磁波シールド機能を有する塗料を塗布する技術があった。（特許文献１）
【０００４】
しかしながら、上記従来の電磁波シールド材料を含む塗料では、電磁波シールド効果が不十分だけでなく、塗料が高価である等の欠点があった。
【先行技術文献】
【特許文献】
【０００５】
【特許文献１】特開２００２−２９１１１３号公報
【発明の概要】
【発明が解決しようとする課題】
【０００６】
本発明は、上記従来の問題点に鑑みてなされたもので、その目的とするところは、電磁波を効果的に遮蔽することができ、安価なリン酸カルシウムの微粉粒物を含有した電磁波シールド塗料を提供することにある。
【課題を解決するための手段】
【０００７】
本発明の電磁波シールド塗料は、従来周知の塗料にリン酸カルシウムの微粉粒物を含有せしめたことを特徴とするである。
【０００８】
上記従来周知の塗料は、例えば、鋼板、アルミニウム板、合成樹脂板を素材とする自動車の車体（ボディ）の外装材（ルーフ、ドア、バンパ、ボンネット等）の主に内外表面に塗布する塗料であることを特徴とする。
【０００９】
上記リン酸カルシウムが、天然アパタイト（ハイドロキシアパタイトCa5(PO4)3(OH)）、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であることを特徴とする。
【００１０】
上記リン酸カルシウムの微粉体あるいは微粒体の大きさは、好ましくは０．０１〜２００μmである。
【発明の効果】
【００１１】
本発明の電磁波シールド塗料は、従来周知の塗料にリン酸カルシウムの微粉粒物を含有せしめたので、電磁波から人体の被爆を効果的に遮蔽することができ、安価な塗料を提供することができる。
【発明を実施するための形態】
【００１２】
本発明に係る塗料は、例えば、鋼板、アルミニウム板、合成樹脂板を素材とする自動車の車体（ボディ）の外装材（ルーフ、ドア、バンパ、ボンネット等）の主に内外表面に塗布する塗料としては、一般に、アクリル樹脂塗料、フッ素樹脂塗料、エポキシ樹脂塗料、ウレタン樹脂塗料、ポリエステル樹脂塗料、メラミン樹脂塗料またはシリコーン樹脂塗料などの合成樹脂塗料が使用されている。また、鉄道車両においても、その被塗装材や塗装部位に応じて、上記合成樹脂塗料から選択使用される。なお、本発明に係る塗料は、上記自動車や鉄道車両の被塗装材に限定するものではなく、観覧車やロープウエイ等のゴンドラなどの移動体、また、住宅や競技場などの建物空間を構成する被塗装材料など、人間を電磁波から遮蔽するための空間を囲む構造体であればいずれでもよい。されに、塗料は従来周知の塗料であれば、上記合成樹脂塗料に限定するものではない。
【００１３】
上記塗料に含有せしめるリン酸カルシウムとしては、微粉末状あるいは微粒子状のリン酸カルシウム、例えば、天然アパタイト（ハイドロキシアパタイトCa5(PO4)3(OH)）が好適であるが、これに限定するものではなく、フルオロアパタイトCa5(PO4)3F、塩素燐灰石（chlorapatite）Ca5(PO4)3Cl、炭酸フッ素燐灰石（carbonate-fluorapatite）Ca5(PO4,CO3)3F、あるいは炭酸水酸燐灰石（carbonate-hydroxyl apatite）Ca5(PO4,CO3)3(OH)であってもよい。また、このリン酸カルシウムに炭酸カルシウムCaCO3を添加してもよい。上記リン酸カルシウムの一種の天然アパタイトの粒径は、好ましくは、０．０１〜２００μmであり、水に溶けない。
(57)【要約】      （修正有）【課題】えんぴつを使用中に誤って落下させてしまったり、机の上から転がって落ちてしまったりした時でも、えんぴつの芯を折れにくくする、えんぴつプロテクターを提供する。【解決手段】えんぴつの削っていない側の端部を挿入・挟持することができる程度の大きさの径を持つ凹部を、該凹部の底が略球形状のプロテクター本体３の中心近傍にくる程度の深さとなるように形成し、該凹部の底におもり５を有するえんぴつプロテクター１とする。【選択図】図１
2020146869.tif 000002
【特許請求の範囲】
【請求項１】
えんぴつに取り付けて使う、えんぴつプロテクターであって、
前記えんぴつにかぶせるほぼ球状のプロテクター本体と、
前記プロテクター本体の内部に設けられたおもりを備える、えんぴつプロテクター。
【請求項２】
前記プロテクター本体に、さらに突起を備えた、請求項１記載のえんぴつプロテクター。
【請求項３】
前記プロテクター本体はスポンジで作られている、請求項１または請求項２記載のえんぴつプロテクター。
【請求項４】
前記プロテクター本体の少なくとも一部の表面に、平らな部分を形成した、請求項１から請求項３のいずれか一項記載のえんぴつプロテクター。
【発明の詳細な説明】
【技術分野】
【０００１】
本発明は、えんぴつに取り付けて使う、えんぴつプロテクター(TENGU)に関する。
【背景技術】
【０００２】
これまで、えんぴつに取り付けて使われるキャップがあった。このキャップは、えんぴつを筆ばこにしまうときに、えんぴつの芯が折れないようにするために取り付けていた。また、えんぴつを使うときは、キャップをなくさないようするために、えんぴつの頭に取り付けていた。
【発明の概要】
【発明が解決しようとする課題】
【０００３】
しかし、これまでのキャップは、プラスチックなどでできており、とても軽いものであった。このため、えんぴつの頭に取り付けても、えんぴつの先が床にぶつかって、芯が折れてしまうことが多かった。また、キャップの材料はかたいので、えんぴつが床に落ちた時に、えんぴつにショックが伝わってしまっていた。このため、えんぴつの内側の芯も折れてしまうことがあった。
【課題を解決するための手段】
【０００４】
本発明は、えんぴつに取り付けて使う、えんぴつプロテクターであって、えんぴつにかぶせるほぼ球状のプロテクター本体と、プロテクター本体の内部に設けられたおもりを備える、という構成を採っている。
【０００５】
以上のような構成により、えんぴつが机の上で転がって、床に落ちたときでも、おもりを備えるプロテクタ本体の方が重いので先に落ちる。このため、えんぴつの芯は床にぶつからないので、芯は折れない。
【０００６】
また、プロテクター本体には突起を備えているので、机の上で転がりにくい。このため、えんぴつが机から落ちにくくなる。
【０００７】
また、プロテクター本体はスポンジで作られているので、床にぶつかった場合でも、ショックが吸収され、えんぴつの内側の芯も折れにくくなる。
【０００８】
さらに、プロテクター本体の少なくとも一部の表面に、平らな部分を形成したので、この平らな部分が机に接しているときは、えんぴつプロテクターが転がりにくく、机から転がり落ちない。
【発明の効果】
【０００９】
本発明のえんぴつプロテクターは、芯が折れるのを防ぐことができるので、えんぴつを削る手間が省けるし、えんぴつを長く使うことができる。
【図面の簡単な説明】
【００１０】
【図１】本発明の一実施形態に係るえんぴつプロテクターを示す図であって、図１（Ａ）は側面図を示し、図１（Ｂ）は断面図を示す。
【図２】図１に開示したえんぴつプロテクターをえんぴつに取り付けて、床においた状態を示す断面図を示す。
【図３】図１に開示したえんぴつプロテクターを、えんぴつに取り付けた状態を示す図であって、図３（Ａ）は机から落ちた直後の状態を示し、図３（Ｂ）は床に落ちる直前の状態を示す。
【発明を実施するための形態】
【００１１】
本発明のえんぴつプロテクターの実施形態を、図面を参照しながら以下に説明する。なお、説明において、共通する部分は同じ符号を付し、重複する説明は適宜省略する。
【００１２】
本実施形態のプロテクター１は、えんぴつＰに取り付けて使うものであって（図２参照）、えんぴつＰにかぶせるプロテクター本体３と、プロテクター本体３の内部に設けられたおもり５を備えている。
【００１３】
［プロテクター本体］
プロテクター本体３は、全体形状がほぼ球状となっている。また、プロテクター本体３の内部には、えんぴつＰにかぶせることができるように、円柱状の内部空間が形成されている。内部空間の直径は、えんぴつＰの直径よりも少しだけ大きくなっている。このため、プロテクター本体３をえんぴつＰにかぶせると、まさつ力によってプロテクター本体３がえんぴつＰに取り付けられる。プロテクター本体３の材料としては、色々なものが考えられるが、例えば、スポンジやゴムなどが望ましい。本実施形態のプロテクター本体３は、スポンジを用いている。スポンジを用いることで、えんぴつＰが床Ｆに落ちたてぶつかっても、スポンジがショックを吸収する。
【００１４】
プロテクター本体３は、えんぴつの直径よりもかなり大きな直径を有する球状の形である。このため、図２に示すように、机の上にえんぴつＰに置いたときに、えんぴつＰと机との間にすき間ができる。これにより、えんぴつをつかみやすくなる。また、プロテクター本体３は、きめ細かくて赤色のスポンジを用いている。
【００１５】
［おもり］
おもり５は、ほぼ半球状のような形をしており、上述の内部空間の奥に形成された半球状空間に固定されている。おもり５の材料は、えんぴつＰの材料よりも重いもの（比重が大きいもの）である。おもり５の材料の例としては、金属が考えられる。ただし、えんぴつＰの材料より重いものであれば、木やプラスチックであってもよい。なお、おもり５の半球状の形状は一例であって、他の形状にしてもよい。
【００１６】
［突起］
プロテクター本体３からは、突起７が突出している。本実施形態の突起７は、プロテクター本体３と一体となっている。ただし、プロテクター本体３と突起７を別々に作って、あとから両社を接着するようにしてもよい。突起７が設けられていることで、机の上で転がらなくなる。このため、えんぴつＰが机から落ちにくくなる。なお、突起７は天狗の鼻のような形をしている。
【００１７】
【符号の説明】
【００１８】
１  えんぴつプロテクター
３  プロテクター本体
５  おもり
７  突起
Ｆ  床
Ｐ  えんぴつ
【図１】
2020146869.tif 000003
【図２】
2020146869.tif 000004
【図３】
2020146869.tif 000005
(57)【要約】【課題】従来の物干し竿は、ハンガーに掛かった洗濯物同士が風による影響で密着して、洗濯物の乾きを悪くする原因を作る。また、洗濯物の重量が物干し竿の中央部分に集中して、物干し竿の反り曲りや折れ曲がる問題点を生む。【解決手段】長さが６ｃｍ程度で材質が弾性プラスチックの半円筒状部材ハンガースペーサー２同士を、物干し竿１へ上下で嵌め入れて連続した円筒を作り出し、それぞれの円筒と円筒との間に仕切り溝３を設けて、洗濯物が掛かるハンガーフックの位置を仕切り溝３部分に固定することで、風によって洗濯物同士が密着することを防止する。また、洗濯物が掛かるハンガーを分散して均等に固定出来ることで、物干し竿の反り曲りを緩和する。【選択図】図１
2020146420.tif 000002
【特許請求の範囲】
【請求項１】
物干し竿に嵌め込む長さ６ｃｍ程度の半円筒状部材同士を上下で組み合わせて円筒を作り出し、複数の前記円筒の相互間に設けた隙間にハンガーフックを挟み込ませる仕切り溝を形成した物干し竿用ハンガースペーサーであって、前記半円筒状部材は、材質が弾性プラスチックで、構造は取り付ける物干し竿に合わさる大きさの半円筒部と、前記半円筒部の中心を境に部分的に突起させた凸部と、前記凸部と対向する位置に同形の凸部を設け、同一形状の前記半円筒状部材同士を上下で組み合わせて一体化した円筒を造る為に、前記凸部同士が互いに向かい合って嵌る部分へ、前記凸部とは形状が反転する凹部を設け、前記凸部だけが前記物干し竿の円心方向へ幾分入り込む構造にすることで、材質の弾力性を利用して前記物干し竿にグリップさせることを特徴とするハンガースペーサー。
【発明の詳細な説明】
【技術分野】
【０００１】  本発明は、風による影響で、ハンガーに掛かった洗濯物同士が密着して乾きが悪くなる原因を抑止する。それに加えて、物干し竿の反り曲りを緩和するハンガースペーサーに関するものである。
【背景技術】
【０００２】  特許文献１及び特許文献２には、物干し竿に溝を設ける用途において、材質は弾性の合成樹脂を使用し、嵌め込み式で着脱可能にしたものである。その物の欠点は、出願された考案の材質の厚みを厚くすると、物干し竿の長いスパンに嵌め入れることが硬くて容易でなく、厚みを薄くすると構造の耐久性が落ちて、物干し竿へ嵌め入れた時に、その物の内側の半径寸法が物干し竿の直径寸法よりも大きく広がり、物干し竿にグリップさせることができない。また、特許文献１、特許文献２の両者の考案も、其の物を物干し竿へ嵌め入れた場合、上下の重心が片寄り、溝の部分の上下が反転してしまう問題を生じる。【０００３】  本発明のハンガースペーサーの材質は弾性プラスチックで、厚みが４ｍｍ、長さ６ｃｍ程度の小さな半円筒状部材です。構造は取り付ける物干し竿に合わさる大きさの半円筒部と、前記半円筒部の中心を境に部分的に突起させた凸部と、前記凸部と対向する位置に同形の凸部を設ける構造で、物干し竿への嵌め入れる部分の抵抗値が少なく、容易に物干し竿に取り付けられる。また、ハンガースペーサーを物干し竿に固定させる方法は、前記凸部だけを物干し竿の円心方向へ幾分入り込む構造にすることで、材質の弾力性を利用して物干し竿にグリップさせられる。
【先行技術文献】
【特許文献】
【０００４】
【特許文献１】実用新案登録番号  第３０４１６５５号公報
【特許文献２】特開２００４−１３６０５３号公報
【発明の概要】
【発明が解決しようとする課題】
【０００５】  従来の物干し竿は、風による影響で、ハンガーに掛かった洗濯物同士が密着して、乾きが悪くなる原因を作ります。また、洗濯物の重量が物干し竿の中央部分に集中して、物干し竿の反り曲りや、物干し竿がくの字に折れて、多くの人が不便さを感じています。
【課題を解決するための手段】
【０００６】  本発明は、長さ６ｃｍ程度の半円筒状部材ハンガースペーサー同士を物干し竿へ上下で嵌め入れて連続した円筒を作り出し、それぞれの円筒と円筒との間に仕切り溝を設けて、洗濯物が掛かるハンガーフックの位置を前記仕切り溝部分に固定することで、風によって洗濯物同士が密着することを防止する。それに加えて、洗濯物が掛かるハンガーを均等に固定出来ることで、物干し竿の反り曲りを和らげる。
【発明の効果】
【０００７】  ハンガースペーサーの効果は、風によって洗濯物同士が密着することを防止する。それに加えて、洗濯物を万遍なく分散させるので、物干し竿の反り曲りを和らげる。【０００８】  もう一つの特徴は、容易に複数のカラー製品を製造する事ができて、ツートンカラーやトリコロールカラー等の色パターンの変化に富む様々なバリエーションの物干し竿を作り出せ、使い手好みのデザインが選択できる。
【図面の簡単な説明】
【０００９】
【図１】図１は複数のハンガースペーサーを物干し竿に上下で嵌め入れた正面図。  縮尺三分の一
【図２】図２はハンガースペーサーの斜視図。
【発明を実施するための形態】
【実施例】
【００１０】  添付図面に従って実施方法を説明する。本発明のハンガースペーサー２の材質は、弾性プラスチックで、４ｍｍ程の厚みを利用して仕切り溝３を構築する。【００１１】  半円筒状部材ハンガースペーサー２の構造は、取り付ける物干し竿１に合わさる大きさの半円筒部と、前記半円筒部の中心を境に部分的に突起させた凸部４と、前記凸部４と対向する位置に同形の凸部４を設け、同一形状のハンガースペーサー２同士を上下で組み合わせて一体化した円筒を造る為に、前記凸部４同士が互いに向かい合って嵌る部分へ、前記凸部４とは形状が反転する凹部５を設ける。【００１２】  また、前記凸部４だけを物干し竿１の円心方向へ幾分入り込む構造にする事で、材質の弾力性を利用して物干し竿１にグリップさせる事ができる。
【産業上の利用可能性】
【００１３】  ハンガースペーサーは自然法則に基づく最小限の構造で製造コストを削減する。
【符号の説明】
【００１４】  １  物干し竿
２  ハンガースペーサー
３  仕切り溝
４  凸部
５  凹部
【図１】
2020146420.tif 000003
【図２】
2020146420.tif 000004
(57)【要約】【課題】脚力以外の力を利用して、早く、楽に歩け走れる履物を提供する。【解決手段】履物の底部１を、硬質部分２と軟質部分３で構成し、斜めに配置することで、体の重力を利用し前に推進する力を得る。【選択図】図３
2020146423.tif 000002
【特許請求の範囲】
【請求項１】
履物の底部（１）が硬（２）・軟（３）の物質で構成されており、硬（２）軟（３）の物質を斜めに配することで、上からの圧力により推力が発生することを特徴とする履物。
【請求項２】
請求項１の底部（１）において、足が着地して体重が履物の上を通過する経過で、推力が変化するように底部（１）硬（２）軟（３）物質の粗密、強度、大きさを調整していることを特徴とする履物。
【発明の詳細な説明】
【技術分野】
【０００１】  本発明は、楽に早く、歩く、走る履物に関するものである。
【発明の概要】
【発明が解決しようとする課題】
【０００２】  従来の履物は、足を護る、および、足の歩く・走る力を地面に効率的に伝えることを主として考慮されてきたが、自分の脚力以上に歩く・走ることができなかった。【０００３】  本発明は、自分の脚力以上に楽に、早く、楽しく歩くまたは走れることができる履物を提供することにある。
【課題を解決するための手段】
【０００４】  本発明に係わる履物は、斜め方向に配置した硬・軟の物質を履物の底部に有する物である。
硬・軟の物質は、板状でも棒状でも良く、形状は規定されず、個体、液体、気体のいずれでも良い。
また、硬・軟の物質は、固着していても、していなくても良い。
【発明の効果】
【０００５】  本発明では、体重が上からかかることにより、履物底部の軟質部分が圧縮され、斜めに配置した履物底部の硬質箇所が地面と接する点を固定点として履物底部の足が接する面を斜めに配置した方向へ推し進められることにより、脚力以上に速く走ることができる。【０００６】  また、ゆっくり歩く場合においても、体を前方向へ推し進められるので、楽に長距離を歩くことができる。
【図面の簡単な説明】
【０００７】
【図１】  本発明に係わる履物の側面図である。
【図２】  図１における履物底部のＡ−Ａ線断面図である。
【図３】  図２における履物底部のＢ−Ｂ線断面図である。
【発明を実施するための形態】
【０００８】  図１ないし図３は本発明に係わる履物の実施例を示す。
図１は履物の側面から見た図であり、底部は足を護るためにクッション性のある物質で構成されている。
【０００９】  履物の底部は水平方向Ａの断面図２と鉛直方向Ｂの断面図３に示すように、板状の硬質部分２と板状の軟質部分３が交互に配される。
【００１０】  硬質部分２と軟質部分３は、進行方向と並行して、上部から下部へと斜めに配される。
【符号の説明】
【００１１】  １  履物底部
２  履物底部の硬質部分
３  履物底部の軟質部分
【図１】
2020146423.tif 000003
【図２】
2020146423.tif 000004
【図３】
2020146423.tif 000005
(57)【要約】      （修正有）【課題】本発明は、予め２分割されている金属製の半中空柄板の溶接面を制約することなく、確実に溶接合することができる中空柄体の製造方法を提供する。【解決手段】所定形状に成る板材を同一形状に２分割した半中空柄板２，２をプレス成形する工程、プレス成形時に出来た半中空柄板の周縁突端部３，３をそれぞれ内方に扁平面部４，４に成形する工程、この両半中空柄板の各扁平面部を接合する工程、この両半中空柄板の両扁平面部を溶接する工程、この溶接した両半中空柄板の接合周縁部を研磨して溶接箇所が判らないように仕上げる工程、から成る金属製中空柄の製造法。【選択図】図６
2020146724.tif 000002
【特許請求の範囲】
【請求項１】
所定形状に成る板材を同一形状に２分割した半中空柄板をプレス成形する工程、プレス成形時に出来た半中空柄板の周縁突端部をそれぞれ内方に扁平面部に成形する工程、この両半中空柄板の各扁平面部を接合する工程、この両半中空柄板の両扁平面部を溶接する工程、この溶接した両半中空柄板の接合周縁部を研磨して溶接箇所が判らないように仕上げる工程、から成ることを特徴とする金属製中空柄の製造法。
【発明の詳細な説明】
【技術分野】
【０００１】
本発明は、各種の金属製中空柄の製造法に関するものである。
【背景技術】
【０００２】
従来から存するステンレス鋼材等による各種用具における金属製中空柄の製造法は、１．０又は１．２ｍｍの板材を柄製品形状にプレス成形した後、その周縁部の突端部分をエンドレスベルトにより研削して除去するという製法を採るため、手仕事による作業者の熟練度が要求され、生産性が極めて悪いという課題があった。
【０００３】
そこで、このような課題を解決するための方法を採る技術が開発されているかを調査したが、少なくとも当該分野の国内の公知文献は特に存しなかったし、外国製のトリミングマシンは高額であるのみならず、製品化するための材厚寸法には制限があるため、一般工場にとっては生産性の高い技術ではなかったのである。
【発明の概要】
【発明が解決しようとする課題】
【０００４】
そこで、本発明においては、予め２分割されている金属製の半中空柄板の溶接面を制約することなく、確実に溶接合することができる中空柄体を製造する製造法を提供することを目的とするものである。
【課題を解決するための手段】
【０００５】
本発明は、所定形状に成る板材を同一形状に２分割した半中空柄板をプレス成形する工程、プレス成形時に出来た半中空柄板の周縁突端部をそれぞれ内方に扁平面部に成形する工程、この両半中空柄板の各扁平面部を接合する工程、この両半中空柄板の両扁平面部を溶接する工程、この溶接した両半中空柄板の接合周縁部を研磨して溶接箇所が判らないように仕上げる工程、から成る金属製中空柄の製造法である。
【発明の効果】
【０００６】
本発明に係る以上の製造方法を採用することにより、予め２分している金属製半中空柄板を接合した周縁部は２つの扁平面部を有する状態にあるから、当該接合面部分への溶接は材厚のある扁平面部の接合部間において確実に施されることになり、その溶接部分面は確実かつ強固に一体化され、完成品にあっては期待どおりの周側面部分が美麗に仕上げられた中空柄体を製造することができるのである。（図６Ｇ，図５参照）
【０００７】
したがって、製造コストは比較的安価に上がるので、生産性の高い製造法を提供することができるのである。
【図面の簡単な説明】
【０００８】
【図１】（Ａ）（Ｂ）はプレス成形した両半中空柄板の内面図
【図２】（Ａ）（Ｂ）はプレス成形時に出来た周縁突端部を扁平面部に成形した内面図
【図３】（Ａ）（Ｂ）は図２（Ａ）（Ｂ）に示した両半中空柄板の外面図
【図４】図３（Ａ）（Ｂ）の両半中空柄板を接合した状態の側面図
【図５】図４の溶接合状態を研磨して仕上げた状態の側面図
【図６】（Ａ）は１枚の鋼板材、（Ｂ）は所定形状への成形体の正断面図、（Ｃ）は所定形状への加圧作業時の正断面図、（Ｄ）は所定形状に加圧成形した半中空柄板の周縁突端部の研削前の正断面図（図１ａ−ａ線断面）、（Ｅ’）は従来製造法による周縁部研削時の正断面図、（Ｆ’）は従来製造法による周縁部研削後の正断面図、（Ｇ’）は従来製造法により両中空柄板の研削周縁部を上下に接合した状態の正断面図、（Ｅ）は本製造法による周縁突端部研削後の正断面図、（Ｆ）は本製造法による扁平面成形後の正断面図（図２ｂ−ｂ線断面）、（Ｇ）は本製造法により両中空柄板の扁平面部を上下に接合した状態の正断面図（図４ｃ−ｃ線断面）
【実施例】
【０００９】
本発明に係る金属製中空柄の製造法の工程を実施例について説明する。
【００１０】
第１工程
【００１１】
製品化するステンレス鋼材等による金属製各種用具の頭部本体に対し、溶接して全体を一体に構成する中空柄体１の両半中空柄板２，２を、所定の金型によってそれぞれプレス成形する。（図３参照）
【００１２】
このプレス成形の段階においては、両半中空柄板２，２の周縁部に前記プレス成形されたままの突端部３，３が残っている。（図６（Ｅ）参照）
【００１３】
第２工程
【００１４】
プレス成形時に出来た両半中空柄板２，２の周縁の突端部３，３を加圧して扁平面部４，４をそれぞれ形成する（図６（Ｆ）参照）
【００１５】
第３工程
【００１６】
この両半中空柄板２，２の両扁平面部４，４を合わせて接合する。この時の両半中空柄板２，２の周縁接合部５は一直線状に成る。（図４参照）
【００１７】
第４工程
【００１８】
この両半中空柄板２，２の両扁平面部４，４の一直線状に成る周縁接合部５間を溶接する。
【００１９】
第５工程
【００２０】
この溶接した両半中空柄板２，２の周縁接合部５を研磨し、溶接箇所が外部から判らないように仕上げた中空柄体１を構成する。（図５参照）
【符号の説明】
【００２１】
１                          中空柄体
２，２                      両半中空柄板
３，３                      周縁突端部
４，４                      扁平面部
４’，４’                  従来製造法による中空柄板の材厚部
５                          周縁接合部
６                          下金型
７                          上金型
【図１】
2020146724.tif 000003
【図２】
2020146724.tif 000004
【図３】
2020146724.tif 000005
【図４】
2020146724.tif 000006
【図５】
2020146724.tif 000007
【図６】
2020146724.tif 000008
(57)【要約】      （修正有）【課題】素人が簡単に魚干物を作ることができ、又洗浄収納も簡単な乾物製作網の提供。【解決手段】干し網箱を各面独立させそれを組み立てることにより洗浄収納を簡単にし、加えて鳥等からの被害も防ぐよう２重網としたことを特徴とする乾物製作網。即ち、六方を各々独立の網板で囲った略直方形の網体であり、出し入れ口を備えた面を正面網板とし、他を左右の側面網板、背面網板、天面網板、底面網板とし、この六つの各網板相互は、分離可能な組立接合具で固定され、天面網板より吊り下げられた干し網吊具に干し網を掛け止めてあり、底面網板からは鳥獣の頭にコツンと当たる獣除けを吊り下げてあり、これら全体を、底面網板を除く全ての面に覆う形で、外網を被せてある、折り畳み式簡易干し網。【選択図】図８
2020146021.tif 000002
【特許請求の範囲】
【請求項１】
六方を各々独立の網板で囲った略直方形の網体であり、出し入れ口を備えた面を正面網板とし、他を左右の側面網板、背面網板、天面網板、底面網板と称し、
この六つの各網板相互は、分離可能な組立接合具で固定され、天面網板より吊り下げられた干し網吊具に干し網を掛け止めてあり、
底面網板からは鳥獣の頭にコツンと当たる獣除けを吊り下げてあり、これら全体を、底面網板を除く全ての面に上覆う形で、外網を被せあることを特徴とする折り畳み式簡易干し網。
【発明の詳細な説明】
【技術分野】
【０００１】  本発明は各家庭で素人が簡単に乾物を作成することに関するものである。
【背景技術】
【０００２】  従来干し網は一枚網で干し棚と本体網が一体の物であり、洗浄、収納、鳥獣防御に劣っている。
【先行技術文献】
【特許文献】
【０００３】
【特許文献１】
【発明の概要】
【発明が解決しようとする課題】
【０００４】（イ）魚等干した後の匂いに関し、網と干し棚が一体のものは洗浄が不十分で匂いが残る。
（ロ）網と干し棚一体型は収納の際かさばり不便。
（ハ）従来の一枚網の場合虫の侵入は防げるが鳥獣には網を破られる。
【問題を解決するための手段】
【０００５】  六方を各々独立の網板で囲った略直方形の網体であって、出し入れ口を備えた面を正面網板とし、他を左右の側面網板、背面網板、天面網板、底面網板と称する。
これら六つの各網板相互は、分離可能な組立接合具で固定され、天面網板より吊り下げられた干し棚吊具に干し棚を掛け止めてある。
底面網板からは鳥獣の頭にコツンと当たる獣除けを吊り下げてあり、これら全体を、底面網板を除く全ての面に上から覆う形で、外網を被せてある。
以上を特徴とする折り畳み式簡易干し網である。
【発明の効果】
【０００６】  各面を独立接合させることにより、収納も容易であり、洗浄もしやすいことから匂いの問題がなくなり、マンションベランダでも容易に乾物作成ができる。
【図面の簡単な説明】
【０００７】
【図１】  本発明の一部である外網を示す斜視図。
【図２】  本発明において、使用可能な状態に組み立てた状態を示し見やすくするために網目を一部省略した形の本体外観斜視図。
【図３】  本発明において本体枠と組み立て接合具を示す斜視図。
【図４】  本発明において、本体を構成する各網板を示す平面図。（イ）天面網板（ロ）側面網板の左右（ハ）背面網板（ニ）底面網板（ホ）正面網板
【図５】  本発明において本体の内部に干し棚を吊るしてセットした状態を示す斜視図。
【図６】  本発明の一部である獣除けを本体底面網板の外に吊るしてセットした状態を示すイメージ斜視図。
【図７】  本発明の一部である干し棚図。
【図８】  本発明の本体網組立完成図。
【発明を実施するための形態】
【０００８】  六方を各々独立の網板で囲った網体であって、出し入れ口を備えた面を正面網板（１３）とし、他を背面網板（１１）、天面網板（９）、左右に側面網板（１０）、底面網板（１２）と称す。
各網相互は分離可能な組立接合具（３）で固定され天面より吊り下げられた干し棚吊具（７）に干し棚（６）を掛け止めしてある。
底面からは鳥獣の頭にコツンと当たる獣除け（５）を吊り下げてあり、これら全体に底面を除く全ての面に覆さる形で外網（１）を被せる。
【符号の説明】
【０００９】  １  外網
２  本体
３  組立接合具
４  吊るしヒモ
５  獣除け
６  干し棚
７  干し棚吊具
８  出し入れ口
９  天面網板
１０  側面網板
１１  背面網板
１２  底面網板
１３  正面網板
【図１】
2020146021.tif 000003
【図２】
2020146021.tif 000004
【図３】
2020146021.tif 000005
【図４】
2020146021.tif 000006
【図５】
2020146021.tif 000007
【図６】
2020146021.tif 000008
【図７】
2020146021.tif 000009
【図８】
2020146021.tif 000010
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
六方を各々独立の網板で囲った略直方形の網体であり、出し入れ口を備えた面を正面網板とし、他を左右の側面網板、背面網板、天面網板、底面網板と称し、
この六つの各網板相互は、分離可能な組立接合具で固定されている。
天面網板より吊り下げられた干し網吊具に干し網を掛け止めてあり、
底面網板からは鳥獣の頭にコツンと当たる獣除けを吊り下げてあり、これら全体を、底面網板を除く全ての面に上覆う形で、被せた外網を備えることを特徴とする簡易干し網。
(57)【要約】      （修正有）【課題】大型温室や倉庫は一般にＨ形鋼の鉄骨構造であるが、代わりに普及サイズの直管パイプを一部に併設させ連結させることにより、安価で強度ある構造を提供する。【解決手段】内外二重の骨材に連結構造材を有する柱材と屋根のハウスで、必要な範囲内で鉄骨並みの強度を確保させるために、垂直な外側直管パイプと傾設の内側直管パイプの間にロープａと突っ張り材ｂ１が内部パイプを突き上げる方向に配置され、結合材で構成された柱構造と、屋根の外形を決める斜設の外側直管パイプと内側に略併設の直管パイプをロープａと突っ張り材ｂ１で外側パイプを上に突き上げる配線がパイプ結合材と結合した梁構造で成り立つハウスにおいて、そのロープａと突っ張り材ｂ１でなる連結材が屋根積雪加重Ｐなどにより内外パイプの引張と圧縮の差で生じる剪断力を、トラスの斜材のように荷重負担し、又それが現場での簡単組立技術で建築可能になる構造。【選択図】図１
2020080842.tif 000002
【特許請求の範囲】
【請求項１】
内外に併設された鋼管構造を一部に有する大型軽量鉄骨構造ハウスにおいて、略併設鋼管の間のＨ形鋼でいうウエブに相当する部分を板状連結材の代わりに、図１のように内部鋼管を引き上げる方向のロープａと内部鋼管を突き上げる方向材ｂ１を鋼管用ツカミ金物間に係合した形状で、さらにロープ張力が一定になるように図１のｃ部の柱頭部のスペースに、または図３柱脚部に、スプリンクｃ１またはｃ２とオねじとナットｄ１またはｄ２で構成するロープ張力安定維持装置を追加した形状の構造体。
【発明の詳細な説明】
【技術分野】
【０００１】本発明は、図１の例のように平面で構成される梁間に利用の併設パイプ構造体で、小型Ｈ形鋼並みの強度を確保することができる連結構造に関するものである。
【背景技術】
【０００２】従来から、パイプハウスの補強方法としては、内外併設のパイプで簡易的な連結材をもって強度を上げる方法や、又  トラス構造にみられる斜材溶接で事前に組み立てられたものを現場で組み立てる方法があります。前述については、その完成強度は、一定の加重以上では、重量鉄骨のＨ型鋼の強度に及ばず、また、後述については、堅牢ではあるが、溶接技術、表面処理技術や現場組み立てなどの多数の技術者が必要である。
【先行技術文献】
【特許文献】
【０００３】［出願番号］  特願２０１８−５７１３７
【発明の概要】
【０００３】図１は併設のパイプをロープと突っ張り材で連結構成結合させた例である。
【０００４】上述のロープ張力を維持するために、ロープ配線の中間又は端部の一部にロープ張力維持機能を設けた構造。
【発明の効果】
【０００５】請求項１によると、ロープ張力によって耐力強度が決まる構造なので、環境条件の変化や、部材の経年変化や環境条件変化に対応して強度調整が可能になる。
【図面の簡単な説明】
【０００６】
【図１】はロープ式連結例の構造体です。
【図２】は図１のｃ部拡大イメージ図
【図３】は柱構造体の脚部にロープ張力維持装置をつけた構造体イメージ図
【図４】は、ロープと合わせて必須のその他の突っ張り材ｂ３の形状例
【図１】
2020080842.tif 000003
【図２】
2020080842.tif 000004
【図３】
2020080842.tif 000005
【図４】
2020080842.tif 000006
(57)【要約】      （修正有）【課題】草刈機による草刈り草取り中に発生する飛散物による人体、植木作物等の損傷を防護する飛散物防護カバーを提供する。【解決手段】軽金属またはプラスチックの円錐型飛散物防護カバー１の外側壁部分に操作軸を支え受け留める下向横樋２を設定し受け留めカバー内に推し進める。次にカバーを被せた状態で操作軸７と刃６、紐カッターを導入し、操作軸を挿入切り込み３と、導入穴４に押し込む。刃が安定位置に確定したら操作軸締め込みボルト５を硬く締め込む。【選択図】図１
2020080847.tif 000002
【特許請求の範囲】
【請求項１】
草刈機による、草刈り、草取り中に土粒石塊、切りかすが飛散し人体、植木、作物の損傷被害を被る、これを防護するために開発。
飛散物防護カバーをプラスチックと軽金属の円錐型（１）、カバーを被せた状態で操作軸、挿入切り込み（３）を作り、カバーの外側に操作軸を受け留める支え横樋（２）、下向き溝とし、操作軸をうけとめる、その樋の長さをのばし（４）を操作軸がこれをとうり、カバー円内カッターにのびる、カッターの設定位置は、カバーの縁と刃、  紐カッター接触のしない左右平行に定める、操作軸、締め込み抑えボルト（５）で安定を図る。
【発明の詳細な説明】
【技実分野】
【０００１】  この発明は、草刈り草取り作業に当たり飛散物が人体及び作物、植木等に当たり、その損傷被害を防護する、プラスチック並びに軽金属の円錐型を草刈機の刈り取る廻に被せる飛散物防護カバーの開発である。
【背景技実】
【０００２】  草刈機の刈り取る廻りに被せる飛散物防護カバーは今までない。
【発明の開始】
【０００３】
【考案が解決しようとする課題】
【０００４】これは、次のような欠点があった。
金属カッターや紐カッターとの、安定を定めるにジョイントの設定やカバー支えパイプの位置設定等、手間と加重の欠点をなくすためになされたものである、更にカバーの形態は円筒型の飛散物カバーは張り付きが多く、円錐型は少ない。
本発明は、以上のような欠点をなくすためになされたものである。
【課題を解決するための手段】
【０００５】軽金属又はプラスチックの、円錐型カバーの外側壁部分に操作軸を支え受け留める下向き横樋（２）を設定しその溝に受け止めカバー内に推し進める。
次にカバーを被せた状態で操作軸と刃、紐カッターを導入するに、捜査軸を挿入切り込み（３）と、穴（４）をつくる、刃が安定位置に確定したら操作軸締め込みボルト（５）硬く締め込む。
【発明の効果】
【０００６】植木、作物の畝株間の草刈り、草取り作業中、土粒石塊、切りかす飛散物が人体、や隣接作物へ飛ぶ、本具防護カバーを設定することにより損傷被害を免れ安全性を確認出来た。
【図面の簡単な説明】
【０００７】
【図１】本発明の斜視図である
【発明を実施するための形態】
【０００８】  以下、本発明を実施するための形態ついて説明する。
防護カバーを造成するに当たり、草刈機に取り付けて、刈り取るに軽く作業が出来ること、軽合金やプラスチックを選定、円錐型、（１）内径の縁に接しない、短冊ねじれ型鋼刃等セットする、刃によりこの巾が必要となるがこの限りではない、刃カッターや紐カッターの規格により防護カバー大中小サイズを当てる。
円錐型カバーに、捜査軸を支え受け止める横樋、下向き溝、のばし、側壁を通し、カバー内に入れる。
円錐型防護カバーを被せて、横樋に向かって下から切り込む（３）、操作軸を横樋の溝に押し込む、次いでネックに刃を取り付けて、カバーの縁の位置と接触しない平行確認して、安定位置を確認し捜査軸を締め込む（４）。
【符号の説明】
【０００９】１  飛散物防護カバー
２  操作軸受け止め横樋、下方開き溝
３  操作軸繰入れ切り込み
４  操作軸受け留め、導入穴
５  操作軸締め込み抑えボルト
６  短冊ねじれ型鋼刃
７  操作軸
【図１】
2020080847.tif 000003
(57)【要約】【課題】  本発明は、犬の上顎と下顎の犬歯に装着し、犬の口をしっかり開けさせて今まで歯磨きがしにくかった後臼歯や歯の内側まで磨きやすくすることができる犬の歯みがき棒を提供する。【解決手段】  楕円状の筒体であって、長さ方向を垂直にして立て置いた場合において外周面の任意の一箇所に垂直並びに水平に１０ミリメートルの長さで１０段のカット目安線を等間隔で設けてあることを特徴とする犬の歯みがき棒。【選択図】図１
2020080835.tif 000002
【特許請求の範囲】
【請求項１】
楕円状の筒体であって、長さ方向を垂直にして立て置いた場合において外周面の任意の一箇所に垂直並びに水平に１０ミリメートルの長さで１０段のカット目安線を等間隔で設けてあることを特徴とする犬の歯みがき棒。
【発明の詳細な説明】
【技術分野】
【０００１】  本発明は、犬の上下の犬歯に装着する事により、隅々まで歯磨きをすることが容易に出来る棒状の犬の歯磨き補助具に関するものである。
【背景技術】
【０００２】  従来、犬の歯を磨く際に口を片方の手で開けておきながら磨いていた。
また、口を開いてくれない犬は歯ブラシの届く範囲での歯磨きとなっていた。
【先行技術文献】
【特許文献】
【０００３】
【特許文献１】
【発明の概要】
【発明が解決しようとする課題】
【０００４】  それには次のような問題点があった。
（イ）片方の手で犬の口を開けておきながら歯を磨くと、自分の手が邪魔だったり、犬の開口が不十分なため犬の舌が邪魔で、後臼歯や歯の内側の歯磨きが不十分となり歯石が出来てしまう。
（ロ）口を開けてくれない犬は、ハミガキシートや表面だけの歯磨きとなり歯の裏側や歯の付け根に歯石が溜り、口臭や歯周病等の原因となってしまう。
（ハ）筒が円筒状だと犬歯に装着した際にぐらつきが生じて外れてしまう。
本発明は、以上の問題点を解決するためのものである。
【課題を解決するための手段】
【０００５】長軸径１３ミリメートル短軸径８ミリメートルの楕円状の筒体であって、長さ方向を垂直にして立て置いた場合において、外周面の任意の一箇所に垂直並びに水平に１０ミリメートルの長さで１０段のカット目安線等間隔でを設けてある。
【発明の効果】
【０００６】犬の口腔内がよく見え、犬の歯磨きがとても行いやすくなる。
特に下顎の後臼歯の内側も犬の舌が邪魔にならずに歯を磨くことが出来る。
歯の隅々まで磨くことが可能となり、虫歯や歯周病のリスクが軽減出来る。
よって、口臭も少なくなる。
装着した際のぐらつきも少なくなり外れにくくなる。
【図面の簡単な説明】
【０００７】
【図１】    本発明の斜視図である。
【発明を実施するための形態】
【０００８】  以下、本発明を実施の形態について説明する。
（イ）長軸径１３ミリメートル短軸径８ミリメートルの楕円状の筒体であって、長さ方向を垂直にして立て置いた場合において、外周面の任意の一箇所に垂直並びに水平に１０ミリメートルの長さで１０段のカット目安線を設けてある。
本発明は以上の構成で、本発明を使用するときは、
（ロ）歯磨きをしようとする犬の最大開口数値を、左右どちらかの犬歯の上顎と下顎の付け根の距離を本発明品を犬の口に合わせ測定する。
（ハ）最大開口数値よりも１０ミリメートルから１５ミリメートル短い長さで本発明品をカットする事により、歯磨きを行なっている間ずっと開口している犬の負担を軽減出来る。
（二）本発明品を犬の犬歯に装着する。
（ホ）装着した際に、本発明品が短いと犬の舌等で外れてしまうことがあるので適切な長さになっていることを確認後、歯磨きを行なう事とする。
【符号の説明】
【０００９】    １  筒体
２  カット目安線
【図１】
2020080835.tif 000003
(57)【要約】      （修正有）【課題】うまみ成分を増加させ、舌触りの良さ等の食感を向上させたからすみの製造方法の提供。【解決手段】魚類の卵巣の血抜きを行う血抜工程と、血抜きした卵巣の塩漬けを行う塩漬工程と、塩漬けした卵巣の塩抜きを行う塩抜工程と、塩抜きした卵巣を乾燥する乾燥工程とを有し、塩抜工程と乾燥工程の間に、からすみ内部の水分量が十分に残った状態で真空パックにかけ、１週間〜数ヶ月熟成させる工程を有するからすみの製造方法。【選択図】なし【特許請求の範囲】
【請求項１】
魚類の卵巣の血抜きを行う血抜工程と、
該血抜きした卵巣を塩に埋没させて塩漬けを行う塩漬工程と、
該塩漬けした卵巣の塩抜きを行う塩抜工程と、
該塩抜きした卵巣を乾燥する乾燥工程と、
を有するからすみの製造方法であって、
前記塩抜工程と乾燥工程の間に、卵巣を、卵巣内部の水分量が十分に残った状態で真空パックにかけ、一週間〜数ヶ月熟成させる工程を有することを特徴とするからすみの製造方法
【発明の詳細な説明】
【発明の概要】
【発明が解決しようとする課題】
【０００１】うまみ成分を増加させ、舌触りの良さ等の食感を向上させたからすみの製造方法を提供すること。
【課題を解決するための手段】
【０００２】魚類の卵巣の血抜きを行う血抜工程（Ｓ１）と、血抜きした卵巣の塩漬けを行う塩漬工程（Ｓ２）と、塩漬けした卵巣の塩抜きを行う塩抜工程（Ｓ３）と、塩抜きした卵巣を乾燥する乾燥工程（Ｓ５）とを有し、塩抜工程（Ｓ３）と乾燥工程（Ｓ５）の間に、からすみ内部の水分量が十分に残った状態で真空パックにかけ、１週間〜数ヶ月熟成させる工程（Ｓ４）を有するからすみの製造方法である。
【発明の効果】
【０００３】乾燥工程を完了した後ではなく、製造途中の水分が十分に残った状態のからすみを真空パックにかけることで、からすみの水分を一定量に保ったまま長期保存することが可能になり、加水分解反応による熟成期間を持たせることでうまみ成分を増加させ、また真空パックによる水分の均一化と、圧縮効果により、からすみの舌触りの良さ等の食感を向上させる。
(57)【要約】      （修正有）【課題】魚に警戒心を与えない様、従来釣り用仕掛けに使用されている金具を主としてポリカーボネートを原材料とした透明性のあるものへ、従来使用されている鉛製おもりを、ガラス製で透明性のあるものとする釣り用仕掛けを提供する。【解決手段】従来釣り用仕掛けに使用される金具を、主としてポリカーボネートを原材料に透明性のあるものとし、従来使用されている鉛製おもりは、ガラス製で透明性がある事を特徴とする。【選択図】なし【特許請求の範囲】
【請求項１】
従来様々な釣りで使用されている金属・非鉄金属製の金具類を透明セラミックスにて形作る。
【請求項２】
従来様々な釣りで使用されているおもり・シンカー類を透明強化ガラスにて形作る。
【発明の詳細な説明】
【技術分野】
【０００１】  この発明は、釣り仕掛けに使用する金具を透明セラミックス製へ、鉛製おもりを強化ガラス製にする釣り用金具・おもりの透明化と、それに伴う将来的な資源利用最小化への寄与に関するものである。
【背景技術】
【０００２】  従来、金属・非鉄金属製の釣り用金具・おもりが使われている。
【発明の概要】
【発明が解決しようとする課題】
【０００３】  これは、次のような欠点があった。
従来の金属・非鉄金属製のフックやサルカン・おもり等は視認性が高く、学習経験が豊富な魚・非常に警戒心の強い渓流魚等を警戒させるものであった。魚達は、仕掛けを見切ってしまうと穴や岩陰などに隠れ出てこなくなる習性を持っており、一度警戒させてしまうとその後全く釣れなくなるという状態が続いてしまっている。
また、表面加工の成されてない金具やおもりは、特に海水や太陽光、水と空気の温度差等で腐食し変質を起こし易い為、一日の使用で使い捨てになってしまっている現状がある。一人が使用する金具やおもりは非常に小さなものだが、世界中の海・湖・川等で使用され、数億にも上ると言われる潜在的釣り需要による金属・非鉄金属製金具や鉛製おもりの毎回の消費は、資源の枯渇を早めることにも繋がる。そもそも鉄や鉛の採掘・加工していく工程そのものが環境破壊や地球温暖化に直結しており、資源採掘するのは仕方ないが、その利用を最小限に抑えていこうという動きが世界の国々で起きている。また、釣りの盛んな国や鉱物資源の殆どを輸入に頼っている日本にとっても、こういった巨大レジャー産業での鉄や鉛の使い捨てによる消費は、今後最小限に抑えられていくべき課題の１つであり、近年の資源生産大国による大幅な増税・輸出を制限するといった資源ナショナリズムの動きを考えると、今後の輸出国の動きにも即していないと考えられる。
本発明は、以上のような欠点をなくすためになされたものである。
【課題を解決するための手段】
【０００４】  従来釣りに使用される釣り用金具を透明セラミックス製にし、セラミック原料の特性に合う釣り人も使用しやすい適切な形状に形作る。
おもり・シンカー類はガラスを従来の形に成型した後、強化加工する。
本発明は、以上の構成よりなる透明な釣り用金具・おもりである。
【発明の効果】
【０００５】  仕掛けを透明化する事により、魚介類をより警戒させにくくする。更に従来使われていた金属・非鉄金属製の釣り針よりもセラミック製は硬度・強度が高く、刺さり易くばれにくく加工することが可能だ。しかもセラミック・ガラス製は錆びとは無縁で、ほとんど変形すことが無く何十年にも渡って使用できる省エネ性を発揮できれば、世界のレジャー産業における資源利用を最小限に抑える事ができる最大のメリットがある。
本発明は、以上の構成よりなる環境・釣り人の気持ち・資源輸入大国である日本のこれからにとっても最も望ましい釣り具体系といえる。
【発明を実施するための形態】
【０００６】  以下、本発明を実施するための形態について説明する。
従来様々な釣りで使用されている釣り針（シングル・ダブル・トリプルフック、エギカンナ（傘バリ）等）・釣り用金具（サルカン（スイベル・ヨリモドシ）、スナップ等）を、透明セラミックス製にする。
従来様々な釣りで使用されているおもりを透明強化ガラス製にする。
本発明は、以上のような構造である。
これを使用するのは、魚に仕掛けを見切られたくない時や、釣り具を変質させず末長く使いたい時に使用すればよい。
【手続補正書】
【提出日】平成31年4月21日(2019.4.21)
【手続補正１】
【補正対象書類名】明細書
【補正対象項目名】全文
【補正方法】変更
【補正の内容】
【発明の詳細な説明】
【技術分野】
【０００１】  この発明は、釣り仕掛けに使用される金具類を、主としてポリカーボネートを使用し透明にする、鉛製おもりをガラス製にする事で透明化する、釣り用仕掛けに使用される金具・おもりの透明化に関するものである。
【背景技術】
【０００２】  従来、金属・非鉄金属製の釣り用金具、鉛製のおもりが使われている。
【発明の概要】
【発明が解決しようとする課題】
【０００３】  これは、次のような欠点があった。
従来の金属・非鉄金属製・重金属性のフックやサルカン、釣り針、おもりは視認性が高く、魚等を警戒させるものであった。従来の釣り用仕掛けに使われる金具類は錆びに弱く、使い捨てになった鉛製おもりに関しては年月をかけて、海中に鉛が溶け出しているという現状がある。
本発明は、以上のような欠点をなくすためになされたものである。
【課題を解決するための手段】
【０００４】  従来釣り用仕掛け使用される金具類を、主としてポリカーボネートを使用する事で透明化し、従来の鉛製おもりは、ガラス製にする事で透明化する。
本発明は、以上の構成よりなる透明な釣り用仕掛けである。
【発明の効果】
【０００５】  釣り用仕掛けを透明にする事で、釣行で魚等を警戒させにくくし、ポリカーボネートを使用した仕掛けは錆びる事がなく、繰返し使用する事で金属利用を減少させ、ガラス製おもりは、従来使用されている鉛製のものと比べ、沿岸に生息する魚貝類への鉛の蓄積、それを食す大型魚への鉛害を減らすことができ、それらを食す私たちへの害を減らす事に繋がる。
本発明は、以上の構成よりなる透明性があり、環境に配慮した釣り用仕掛けである。
【発明を実施するための形態】
【０００６】  以下、本発明を実施するための形態について説明する。
従来様々な釣り用仕掛けで使用されている金属製の釣り針（シングル・ダブル・トリプルフック、エギカンナ（傘バリ）等）・サルカン（スイベル・ヨリモドシ）、スナップ等を、主としてポリカーボネートを使用したものにし、従来の鉛製おもりはガラス製にする事で透明化する。
本発明は、以上のような構造である。
これを使用するのは、魚等を警戒させたくない時、錆びを気にせず釣りを楽しみたい時に使用すればよい。
【手続補正３】
【補正対象書類名】特許請求の範囲
【補正対象項目名】全文
【補正方法】変更
【補正の内容】
【特許請求の範囲】
【請求項１】
従来様々な釣り用仕掛けで使用されている金属製の釣り針（シングル・ダブル・トリプルフック、エギカンナ（傘バリ）等）・サルカン（スイベル・ヨリモドシ）、スナップ等を、主として透明性のあるポリカーボネートを原材料とし製作する。
【請求項２】
従来釣りで使用されている鉛製のおもり・シンカー類を透明性のあるガラスで製作し、強化する。